(57)【要約】【課題】配管内の水圧を低下させて浴槽の側壁に設けられた循環アダプターからの抜き出しを行うことができる浴槽の配管漏水検査用治具を提供すること。【解決手段】追焚き用配管１５の各一端が接続される循環アダプター１３に抜け止め手段１６Ａ、４３Ａを介して装着される漏水検査用治具４０であって、循環アダプターに装着された状態で前記追焚き用配管に連通する通路４７を有する治具本体４１と、この治具本体にねじ結合されて通路を閉塞する閉塞部材４２とを含む。治具本体及び閉塞部材は雄ねじ５２と雌ねじ４９が選択的に形成されており、何れか一方のねじ領域には、ねじ山に跨る溝部５６が設けられている。配管内に水を充満させて水圧をかけた検査を終了した後は、閉塞部材を緩めて通路内の水を抜き出して水圧を降下させることで抜け止め手段の作用を解除して抜き出すことができる。【選択図】          図３
2005017065.tif 000002
【特許請求の範囲】
【請求項１】
浴槽の内外に連通する循環アダプターと、この循環アダプターに接続されて浴槽の湯を浴槽外へ導出する導出管及び浴槽内に湯を導入する導入管を含む追焚き用配管を備えた浴槽用配管の漏水検査用治具において、
前記浴槽の内側から前記循環アダプターに抜け止め手段を介して装着されるとともに、当該循環アダプターに装着された状態で前記追焚き用配管に連通する通路を有する治具本体と、当該治具本体にねじ結合されて前記通路を閉塞する閉塞部材とを備え、
前記治具本体と閉塞部材の何れか一方のねじ領域にはねじ山に跨る溝部が設けられ、
前記閉塞部材と治具本体とを相対回転させたときに、前記溝部を介して前記通路が浴槽の内側に連通することを特徴とする浴槽用配管の漏水検査用治具。
【請求項２】
前記治具本体と閉塞部材のねじ結合が開始される側の端をねじ先端としたときに、前記溝部が、前記ねじ先端に達する位置まで形成されていることを特徴とする請求項１記載の浴槽用配管の漏水検査用治具。
【請求項３】
前記溝部が雄ねじに形成されていることを特徴とする請求項１又は２記載の浴槽用配管の漏水検査用治具。
【請求項４】
前記溝部が治具本体に形成されていることを特徴とする請求項１，２，３又は４記載の浴槽用配管の漏水検査用治具。
【請求項５】
前記治具本体と閉塞部材との間に配置されるパッキンを含み、前記溝部が形成されているねじ領域のねじ先端の反対となる始端は、前記治具本体と閉塞部材とによるパッキン挟圧力を解除した直後に水を流通させない位置に設定されていることを特徴とする請求項１ないし４の何れかに記載の浴槽用配管の漏水検査用治具。
【発明の詳細な説明】
【０００１】
【発明の属する技術分野】
本発明は、浴槽用配管の漏水検査用治具に係り、更に詳しくは、漏水検査用治具の取り外しを容易に行うことのできる漏水検査用治具に関する。
【０００２】
【従来の技術】
従来より、湯張りされた湯を再加熱することのできる風呂の配管構造は、浴槽の側壁に設けられて当該浴槽を内外に連通させる筒状の循環アダプターと、この循環アダプターに一端側が接続される一方、他端側が追焚き機能付き給湯機に接続される導出管及び導入管とを備えて構成されている。このような配管は、建物に設置した後に漏水検査を行う必要がある。
【０００３】
前記漏水検査を行うための治具としては、例えば、特許文献１に記載されたものが知られている。
【０００４】
【特許文献１】特開平９−１７８６００号公報
【０００５】
前記特許文献１に記載された漏水検査用治具は、循環アダプターの内側に嵌合して当該循環アダプターの浴槽側開放部を閉塞する構造とされている。具体的には、循環アダプターの内面側に挿入される筒状壁部と、この筒状壁部の一端側を閉塞する底壁部と、当該底壁部の中央部に連なる軸状の突起部とを備えて構成されている。筒状壁部には、その挿入方向先端側に切欠部が形成されており、この切欠部を循環アダプターの内面側に設けられた凸部に係合させることにより、漏水検査に際して循環アダプターから治具が抜け出ることがないようになっている。
【０００６】
【発明が解決しようとする課題】
しかしながら、特許文献１に記載された漏水検査用治具にあっては、漏水検査を行うべく治具を循環アダプターに装着した状態で、配管内に水を供給して検査圧力を付与する構成であるため、当該検査用圧力によって凸部が切欠部に強く食い込んでしまい、検査終了後に、治具を循環アダプターから抜き出すことが困難になる、という不都合がある。
【０００７】
【発明の目的】
本発明は、このような不都合に着目して案出されたものであり、その目的は、検査圧力を簡易な構成によって低下させることを可能にして循環アダプターからの抜き出しを容易に行うことができる浴槽用配管の漏水検査用治具を提供することにある。
【０００８】
【課題を解決するための手段】
前記目的を達成するため、本発明は、浴槽の内外に連通する循環アダプターと、この循環アダプターに接続されて浴槽の湯を浴槽外へ導出する導出管及び浴槽内に湯を導入する導入管を含む追焚き用配管を備えた浴槽用配管の漏水検査用治具において、
前記浴槽の内側から前記循環アダプターに抜け止め手段を介して装着されるとともに、当該循環アダプターに装着された状態で前記追焚き用配管に連通する通路を有する治具本体と、当該治具本体にねじ結合されて前記通路を閉塞する閉塞部材とを備え、
前記治具本体と閉塞部材の何れか一方のねじ領域（ねじ部）にはねじ山に跨る溝部が設けられ、
前記閉塞部材と治具本体とを相対回転させたときに、前記溝部を介して前記通路が浴槽の内側に連通する、という構成を採っている。
漏水検査を行う場合には、前記治具を循環アダプター内に挿入して行うことができる。この状態で、導出管又は導入管の何れか一方を閉塞しておき、何れか他方から水が供給される。そして、供給された水により、浴槽用配管内に所定圧力、例えば、０．１ＭＰａ程度の圧力を付与し、所定時間経過したときの圧力変化の有無に基づいて漏水しているか否かを検査することができる。
検査終了後は、水圧によって抜け止め手段が強く作用していることになり、治具が抜き出し難い状態となる。ここで、前記閉塞手段を治具本体に対して緩める方向に回転させると、浴槽用配管内部の水が溝部を通って抜け出るようになり、水圧を降下させることとなる。従って、この水圧降下により、抜け止め手段による抜け止めを解除する作業が楽に行えるようになる結果、治具を循環アダプターから抜き出すことができる。また、閉塞部材と治具本体とが完全に結合を解除しない状態で、排水ができるようになり、閉塞部材を治具本体から分離させた場合に起こり得る浴槽内への落下を防止でき、浴槽の底面を傷つけてしまうおそれも効果的に回避することができる。
【０００９】
【発明の実施の形態】
本発明において、前記治具本体と閉塞部材のねじ結合が開始される側の端をねじ先端としたときに、前記溝部が、前記ねじ先端に達する位置まで形成される、という構成を採ることができる。このような構成とすれば、前記閉塞部材のねじ結合を少し緩める方向に回転させるだけで、排水を開始できるようになり、配管経路内の水を容易に排出することができる。
【００１０】
また、本発明においては、前記溝部が雄ねじに形成される、という構成を採ることが好ましい。雄ねじへの溝部加工は、外側からの加工作業となるため、溝部の形成を簡単に行うことができる
【００１１】
更に、前記溝部が治具本体に形成される、という構成を採ることができ、これにより、閉塞部材を緩めたときに、常に一定の個所から水が排出されるようになる。従って、意図しない箇所から水が出て作業者の衣類に水を飛散させてしまうような不都合も生じない。
【００１２】
また、前記治具本体と閉塞部材との間に配置されるパッキンを含み、前記溝部が形成されているねじ領域のねじ先端の反対となる始端は、前記治具本体と閉塞部材とによるパッキン挟圧力（圧縮力）を解除した直後に水を流通させない位置に設定される、という構成を採ることもできる。
水圧によって冶具本体のねじ山と閉塞部材のねじ山が強く当接していると、これを緩めようとしたときに、緩め力を強く作用させる必要があり、意図した以上に閉塞部材を緩めてしまうこともある。この場合には、水の流通が可能になる流通面積が大きくなって勢いよく水が噴出する傾向が顕著となり、衣類を濡らしてしまう可能性を生ずるが、前述したような溝部の始端位置を調整した構成によれば、閉塞手段が少し緩んだ状態でも、配管経路内の排水が開始するようなことはないことになる。従って、排水が開始されるまでの、いわゆる「余遊」を付与することができ、意図しない勢いの排水を抑制して衣類を濡らしてしまうような不都合も生じない。
【００１３】
なお、本明細書において、「水」は湯をも含む概念として用いられる。
【００１４】
【実施例】
以下、本発明の実施例を図面を参照しながら説明する。
【００１５】
図１には、本実施例に係る浴槽用配管の漏水検査用治具が適用される浴槽の要部断面図が示されている。この図において、浴槽１０の側壁１１には、当該浴槽１０の内外に連通する筒状をなす循環アダプター１３が設けられ、この循環アダプター１３には、浴槽１０に対して水を供給、排出する追焚き用配管（浴槽用配管）１５が接続されている。循環アダプター１３は、循環アダプター本体１６と、これにねじ結合される締付ジョイント１７とからなり、これらの内側に配置された仕切部材１８により浴槽１０の水を浴槽外へ導出する導出部１３Ａと、浴槽１０に水を導入する導入部１３Ｂとに区分されている。
【００１６】
前記追焚き用配管１５は、導出部１３Ａに接続されて浴槽１０の湯を外部に導出して図示しない給湯機に供給する導出管１５Ａと、前記導入部１３Ｂに接続されて給湯機で加熱された湯を浴槽１０に導入する導入管１５Ｂとからなる。
【００１７】
図２及び図３に示されるように、前記締付ジョイント１７は略筒状をなし、浴槽１０の内側に位置する端部外縁に、側壁１１の内側に係止されるフランジ部２０を備え、浴槽１０の外側に突出する他方の端部外周面にねじ部２１を備えている。また、締付ジョイント１７は、図１に示されるように、フランジ部２０に部分的に設けられたボス２３が仕切部材１８に当接するようになっている。フランジ部２０の外縁部には切欠部２４が設けられており、導入管１５Ｂにより導入される湯は、ボス２３間の隙間２５と切欠部２４を通って浴槽１０に流入自在となっている。
【００１８】
前記循環アダプター本体１６は略二重筒状の有底円筒状をなし、底部２７を追焚き用配管１５が貫通するとともに、開放端部外縁にフランジ部２８を備え、開放端部の内周面にねじ部２９を備えている。循環アダプター１３は、締付ジョイント１７のフランジ部２０を浴槽１０の内側から側壁１１に係止させた状態で、ねじ部２１に循環アダプター本体１６のねじ部２９を締め付けてフランジ部２０，２８により側壁１１を挟持して浴槽１０に取り付けられる。なお、締付ジョイント１７のフランジ部２０と側壁１１との間、及び、循環アダプター本体１６のフランジ部２８と側壁１１との間にはパッキン３０，３１がそれぞれ介装されている。
【００１９】
前記仕切部材１８は、前記循環アダプター本体１６の内側筒部に嵌合する筒状部１８Ａと、この筒状部１８Ａの一端に連なるとともに、浴槽１０内に向けられた屈曲領域を有するフランジ部１８Ｂとからなる。この仕切部材１８の浴槽１０側にはカバー３３が被せられる。カバー３３には窓部３５が設けられており、水がカバー３３前面の窓部３５を通過して導出部１３Ａに流通するようになっている。
【００２０】
浴槽１０に湯張りされた水を再加熱するときには、浴槽１０内の水は窓部３５を通過して導出部１３Ａに流入し、導出管１５Ａにより給湯機に導出され、当該給湯機で加熱された湯は、導入管１５Ｂにより導入部１３Ｂに導入された後、締付ジョイント１７の前記切欠部２４、又はカバー３３側面の窓部３５を通って浴槽１０内に流入する。
【００２１】
前記循環アダプター１３及び追焚き用配管１５の漏水検査を行うときには、カバー３５及び仕切部材１８を取り外し、以下に詳述する漏水検査用治具４０により締付ジョイント１７の中空部を浴槽１０の内側から閉塞する。そして、追焚き用配管１５の給湯機側の末端部に、例えば、導入管１５Ｂに図示しないバルブ等を介して閉塞し、導出管１５Ａに圧力計を備えたバルブを介して水圧加圧手段を接続する。
【００２２】
そして、水圧加圧手段により、例えば、０．１ＭＰａの水圧を付与し、５分間維持し、この間に水圧が低下しなければ、循環アダプター１３及び追焚き用配管１５に漏水がないものと判定する。
【００２３】
前記浴槽用配管の漏水検査用治具４０は、図２ないし図４に示されるように、循環アダプター１３を構成する締付ジョイント１７に装着される治具本体４１と、この治具本体４１にねじ結合される閉塞部材４２と、これら治具本体４１及び閉塞部材４２の間に配置されるパッキンＰとにより構成されている。
【００２４】
治具本体４１は、締付ジョイント１７内に差し込み可能な外径を備えた中空の筒部４３と、この筒部４３の直径よりも若干大きな直径を有するとともに、当該筒部４３の一端側すなわち図２中左端側に設けられた底部４４と、この底部４４の中央部から浴槽１０の内方に向かって突出する軸部４５とを備えている。筒部４３の外周側には、ゴム等の弾性部材からなるＯリング４６が脱落不能な状態で装着されているともに、前記底部４４と軸部４５の中央部には、当該軸部４５の軸線方向に貫通して追焚き用配管１５に連通する通路４７が形成されている。通路４７において、その先端側領域、すなわち、底部４４の反対側となる端部領域は、内径が大径に設けられているとともに、その内周面に雌ねじ４９が形成されている。なお、筒部４３の開放側端部には、略Ｌ字状の切欠部４３Ａが筒部４３の周方向略１８０度間隔位置にそれぞれ形成されており、これら切欠部４３Ａに、前記締付ジョイント１７の内周面における周方向略１８０度間隔位置に突設された突起１７Ａがそれぞれ係合可能となっている。ここにおいて、切欠部４３Ａと突起１７Ａとにより、循環アダプター１３に対する漏水検査用治具４０の抜け止め手段が構成されている。
【００２５】
前記閉塞部材４２は、前記軸部４５の外径と略同一の外径を備えた操作用の摘み部５０と、この摘み部５０の一端側から突出する突軸部５１とからなり、当該突軸部５１の軸方向に沿う領域の外周面に、前記雌ねじ４９にねじ結合する雄ねじ５２が形成されている。また、突軸部５１の外周面には、ねじ山を跨る状態で、突軸部５１の軸方向に沿って略全領域に延びる溝部５６が形成され、すなわち、溝部５６が雄ねじ５２の先端に達する位置まで形成されている。なお、突軸部５１の軸長は、前記雌ねじ４９が形成された領域の長さよりも短い長さに設定されている（図４（Ａ）参照）。
【００２６】
前記パッキンＰは薄板リング状をなし、その穴５７の内径は、突軸部５１の外径と略同一に形成され、パッキンＰの板面５８は、前記軸部４５の先端面４５Ａと摘み部５０の突軸部側端面５０Ａとの間に挟まれるようになっている。
【００２７】
前記漏水検査用治具４０を用いて漏水検査を行う場合には、まず、治具本体４１を循環アダプター１３に装着し、筒部４３の切欠部４３Ａに、締付ジョイント１７の突起１７Ａを係合させて抜け止めした位置に保っておく（図２参照）。同時に、治具本体４１にパッキンＰを介して閉塞部材４２をねじ結合して通路４７を密閉させておく（図４参照）。
【００２８】
漏水検査に際し、導出管１５Ａ又は導入管１５Ｂの何れか一方の給湯機側端部を閉塞するとともに、何れか他方の端部から水を供給して圧力を付与し、所定時間経過時における圧力変化の有無を検査すればよい。
【００２９】
検査終了後、漏水検査用治具４０を循環アダプター１３から取り出すときは、前記閉塞部材４２を治具本体４１に対して緩める方向に回転操作すればよい。これにより、パッキンＰを挟み込んでいる部分に水の流通を許容する隙間が形成されると、軸部４５内の通路４７にも充満している水は溝部５６から浴槽１０内に流出して配管内の水圧を降下させる。従って、閉塞部材４２を治具本体４１から完全に分離するまで緩める必要はない。
【００３０】
このようにして水圧が降下した後は、治具本体４１を若干回転させて切欠部４３Ａに対する突起１７Ａの係合を解除し、浴槽１０の内方に引き抜く力を付与して循環アダプター１３から漏水用検査治具４０を抜き出すことが可能となる。
【００３１】
このような実施例によれば、閉塞部材４２を少し緩めるだけで、つまり、閉塞部材４２を治具本体４１から完全に取り外すことなく通路４７内の水を溝部５６から排出させることができ、循環アダプター１３，配管１５及び通路４７内に充満している水の水圧を降下させることが可能となる。従って、抜け止め手段を構成する切欠部４３Ａに突起１７Ａが検査時の水圧によって強く食い込んでいても、当該食い込み力を減退若しくは消失させることができ、これにより、治具本体４１を循環アダプター１３から容易に抜き出すことが可能となる。
【００３２】
本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施例に対し、形状、位置、数量、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３３】
例えば、前記実施例では、溝部５６が閉塞部材４２の雄ねじ４９領域に形成された場合を図示、説明したが、図６及び図７に示されるように、治具本体４１の雌ねじ４９領域に溝部５６を形成することでもよい。このような構成によれば、閉塞部材４２を緩めたときに、常に一定の位置から水が排出するようになり、排出位置が周方向に変化してしまうようなこともない。
【００３４】
また、パッキンＰの大きさ、配置も限定されるものではなく、図８及び図９に示されるように、雌ねじ４９の底部側に配置可能な大きさとし、当該パッキンＰを雄ねじ５２が形成された突軸部５１の先端と雌ねじ４９の底部との間に介装することでもよい。この構成においては、雌ねじ４９が形成されている領域の深さを、前記実施例に比べて浅くするか、或いは、突軸部５１の軸方向長さを長くすればよい。なお、図８の例は、閉塞部材４２側に溝部５６が形成されたものであり、図９の例は、治具本体４１側に溝部５６が形成されたものである。その他の構成は前記実施例と同様である。
【００３５】
また、前記実施例では、治具本体４１側に雌ねじ４９が形成される一方、閉塞部材４２側に雄ねじ５２が形成された場合を示したが、図１０及び図１１に示されるように、治具本体４１の先端部領域を小径部として外周に雄ねじ５２を形成する一方、閉塞部材４２を袋ナット状に形成して内周に雌ねじ４９を形成してもよい。ここで、図１０の例は、治具本体４１側に溝部５６が形成されたものであり、図１１の例は、閉塞部材４２側に溝部５６が形成されたものである。その他の構成は、前記実施例と略同様である。
【００３６】
また、図１０の構成の更に変形例を示す図１２のように、閉塞部材４２における雌ねじ４９の領域長さを雄ねじ５２の領域長さよりも短くするとともに、円盤状のパッキンＰを袋ナットの底部と治具本体４１の先端との間に配置することもできる。
【００３７】
また、前記実施例及び変形例では、溝部５６が雌ねじ４９又は雄ねじ５２の始端から先端に向かって全領域に形成された構成を採用したが、例えば、図１３に示されるように、溝部５６の始端Ｓを、雌ねじ４９の底部、すなわち、袋ナットの底部よりも雌ねじ４９の先端寄りの位置に設定する構成を採用することもできる。このような構成とした場合には、閉塞部材４２を若干緩めただけでは溝部５６が通路４７と連通しないため、通路４７内の水が直ちに流通することがない、換言すれば、パッキンＰの挟圧力を解除した直後に水を流通させないという一種の「余遊」を付与することができるようになる。従って、意図した以上に閉塞部材４２を緩めてしまっても水が勢いよく噴出して衣類を濡らすおそれを防止できる。
【００３８】
【発明の効果】
以上説明したように、本発明によれば、閉塞部材を治具本体に対して緩める方向に回転させることにより、通路と溝部との連通が図れるようになり、抜け止め手段による抜け止めを解除する作業を楽に行うことができる。従って、治具を循環アダプターから容易に抜き出せる他、閉塞部材を治具本体から分離しなくても水の排出ができるようになり、閉塞部材を治具本体から分離させた場合に起こり得る浴槽内への落下を防止でき、浴槽の底面を傷つけるおそれも効果的に回避することができる。
【００３９】
また、ねじ先端に達する位置まで溝部を形成した構成によれば、閉塞部材のねじ結合を少し緩める方向に回転させるだけで、排出ができるようになり、配管経路内の水を容易に排出することができる。
【００４０】
更に、溝部を雄ねじに形成した構成によれば、外側からの溝部加工となることで、当該溝部の形成を簡単に行うことが可能となる。
【００４１】
また、前記溝部を治具本体に形成した構成では、閉塞部材を緩めたときに、常に一定の個所から水が排出するようになる。従って、意図しない箇所から水が出て作業者の衣類に水を飛散させてしまうような不都合も生じない。
【００４２】
更に、溝部の始端が、治具本体と閉塞部材とによるパッキン挟圧力を解除した直後に水を流通させない位置に設定された構成を採用した場合には、閉塞手段を緩めてから水抜きが開始されるまでの、いわゆる「余遊」を付与することができ、水抜き速度の加減調整もし易くなる。
【図面の簡単な説明】
【図１】本発明の漏水検査用治具が適用される浴槽の循環アダプター回りの概略断面図。
【図２】前記循環アダプターに漏水検査用治具の治具本体を装着した状態を示す概略断面図。
【図３】図２の一部分解視図。
【図４】（Ａ）は治具本体に閉塞部材をねじ結合した状態を示す断面図、（Ｂ）は、（Ａ）のＡ−Ａ線断面図。
【図５】図４（Ａ）の分解断面図。
【図６】（Ａ），（Ｂ）は、前記実施例の変形例を示す図４（Ａ），（Ｂ）と同様の断面図。
【図７】図６（Ａ）の分解断面図。
【図８】パッキンの位置を代えた変形例を示す要部断面図。
【図９】パッキンの位置を代えた更に異なる変形例を示す要部断面図。
【図１０】雄ねじと雌ねじの形成部位を代えた変形例を示す断面図。
【図１１】雄ねじと雌ねじの形成部位を代えた他の変形例を示す断面図。
【図１２】図１０の変形例を示す断面図。
【図１３】図１１の変形例を示す断面図。
【符号の説明】
１０…浴槽、１１…側壁、１３…循環アダプター、１５…追焚き用配管、１５Ａ…導出管、１５Ｂ…導入管、１７Ａ…突起（抜け止め手段）、４０…漏水検査用治具、４１…治具本体、４２…閉塞部材、４３Ａ…切欠部（抜け止め手段）４７…通路、４９…雌ねじ、５２…雄ねじ、５６…溝部、Ｐ…パッキン、Ｓ…溝部の始端
【図１】
2005017065.tif 000003
【図２】
2005017065.tif 000004
【図３】
2005017065.tif 000005
【図４】
2005017065.tif 000006
【図５】
2005017065.tif 000007
【図６】
2005017065.tif 000008
【図７】
2005017065.tif 000009
【図８】
2005017065.tif 000010
【図９】
2005017065.tif 000011
【図１０】
2005017065.tif 000012
【図１１】
2005017065.tif 000013
【図１２】
2005017065.tif 000014
【図１３】
2005017065.tif 000015